(57)【要約】【課題】電子マネーを口座に安全に保管し、必要なときに、必要な分だけ、必要な種類の電子マネーを取り出して利用できるようにする。【解決手段】電子マネーの発行・管理を行う電子マネー発行会社と、電子マネーカードを利用するための電子マネーバンク端末と通信ネットワークを介して接続し、電子マネーの口座管理サービスを提供する電子マネーバンクシステムにおいて、電子マネーバンク端末からの、電子マネーカードと口座との間の電子マネーの移転の指示に応答して、電子マネーバンク端末から電子マネーの移転の指示を受けている電子マネー発行会社との間で電子マネーを移転し、顧客口座テーブルの内容を更新し、電子マネーを移転した結果を電子マネーバンク端末へ送信する。【選択図】図１
2009151692.tif 000002
【特許請求の範囲】
【請求項１】
電子マネーの発行及び前記電子マネーの所有権を管理する電子マネー発行会社システム及び前記電子マネーを用いた取引に関わる情報を送受信する電子マネーバンク端末と通信ネットワークを介して接続し、
前記電子マネーの口座を管理するための顧客口座テーブルを格納する記憶装置、及び
前記ネットワークを介した前記電子マネーバンク端末からの、前記電子マネーバンク端末に装着された電子マネーカードと前記口座との間の前記電子マネーの移転の指示に応答して、前記電子マネーバンク端末から前記電子マネーの移転の指示を受けている前記電子マネー発行会社システムとの間で前記電子マネーを移転し、前記移転に応じて前記顧客口座テーブルの内容を更新し、前記電子マネーを移転した結果を前記電子マネーバンク端末へ前記ネットワークを介して送信するプロセッサを有することを特徴とする電子マネーバンクシステム。
【請求項２】
前記口座は前記電子マネー発行会社システムに対応した電子マネー種別応じて設けられていることを特徴とする請求項１に記載の電子マネーバンクシステム。
【請求項３】
前記記憶装置は、前記電子マネー種別応じた銀行残高と前記電子マネーとして所持する銀行所持額を保持する銀行残高テーブルを格納することを特徴とする請求項２に記載の電子マネーバンクシステム。
【請求項４】
前記電子マネーの移転の指示は、前記電子マネーバンク端末に装着される前記電子マネーカードから前記口座への入金の指示であって、前記入金の指示には、前記口座を示す入金先口座、前記電子マネーカードから入金する前記電子マネー種別及び前記電子マネーカードからの入金額を含み、前記プロセッサは、前記電子マネー発行会社システムから前記入金額に対応した電子マネーを受信し、前記顧客口座テーブルの前記入金先口座に対応した口座残高に前記入金額を加算し、前記入金する電子マネー種別に対応した前記銀行残高テーブルの銀行残高に入金額を加算することを特徴とする請求項３に記載の電子マネーバンクシステム。
【請求項５】
前記電子マネーカードが保持する前記電子マネーの保持額が所定の金額を超えていることの前記電子マネーバンク端末による検知に応答して、前記入金の指示が前記電子マネーバンク端末から送信されることを特徴とする請求項４に記載の電子マネーバンクシステム。
【請求項６】
前記電子マネーの移転の指示は、前記口座から前記電子マネーバンク端末に装着される前記電子マネーカードへの出金の指示であって、前記出金の指示には、前記口座を示す出金元口座、前記口座から出金する前記電子マネー種別及び前記口座からの出金額を含み、前記プロセッサは、前記電子マネー発行会社システムに前記出金額に対応した前記電子マネーを送信し、前記顧客口座テーブルの前記出金元口座に対応した口座残高から前記出金額を減算し、前記出金する電子マネー種別に対応した前記銀行残高テーブルの銀行残高から前記出金額を減算し、前記出金処理した結果を、前記電子マネーカードを装着している前記電子マネーバンク端末に送信することを特徴とする請求項３に記載の電子マネーバンクシステム。
【請求項７】
前記電子マネーカードが保持する前記電子マネー保持額が所定の金額以下であることの前記電子マネーバンク端末による検知に応答して、前記出金の指示が前記電子マネーバンク端末から送信されることを特徴とする請求項６に記載の電子マネーバンクシステム。
【請求項８】
前記口座から他の口座への振込の指示であって、前記振込の指示には、前記口座を示す振込元口座、前記他の口座を示す振込先口座及び前記電子マネーの振込金額を含み、前記プロセッサは、前記振込の指示に応答して、前記顧客口座テーブルの前記振込元口座に対応した口座残高から前記振込金額を減算し、前記顧客口座テーブルの前記振込先口座に対応した口座残高に前記振込金額を加算することを特徴とする請求項３に記載の電子マネーバンクシステム。
【請求項９】
前記プロセッサは、前記顧客口座テーブルの口座残高を前記電子マネー種別ごとに合計した前記電子マネー種別ごとの前記銀行残高を得、前記銀行残高に対して、前記銀行残高テーブルの前記銀行所持額が所定の金額以下であれば、対応する種別の前記電子マネーを発行する前記電子マネー発行会社システムから、所定調達金額分に相当する前記対応する種別の前記電子マネーを調達し、前記銀行残高テーブルの前記銀行所持額に前記所定調達金額分を加算することを特徴とする請求項３に記載の電子マネーバンクシステム。
【請求項１０】
電子マネーの発行及び前記電子マネーの所有権を管理する電子マネー発行会社システム及び前記電子マネーの口座を管理する顧客口座テーブルを有する電子マネーバンクシステムと通信ネットワークを介して接続し、
電子マネーカードを装着し、前記電子マネーカードの内容を読み書きする制御装置、
前記電子マネーカードと前記口座との間の前記電子マネーの移転の指示を入力する入力装置、及び
前記入力装置からの前記電子マネーの移転の指示の入力に応答して、前記電子マネーの移転の指示を前記電子マネーバンクシステムに前記ネットワークを介して送信し、
前記電子マネーバンクシステムから前記電子マネーの移転の指示を受けた前記電子マネー発行会社システムと前記電子マネーカードとの間で、前記ネットワーク及び前記制御装置を介して前記電子マネーを移転するプロセッサを有することを特徴とする電子マネーバンク端末。
【請求項１１】
前記入力装置からの前記電子マネーの移転の指示は、前記電子マネーカードから前記口座への入金の指示であって、前記口座を示す入金先口座、前記電子マネーカードから入金する電子マネー種別、及び前記電子マネーカードからの入金額を含み、前記プロセッサは、前記入金する電子マネー種別に対応した、前記電子マネーカードに保持されている前記電子マネーの保持額から前記入金額を減算し、前記入金額に対応した前記電子マネーを前記電子マネー発行会社システムに送信し、前記電子マネー発行会社システムから前記電子マネーバンクシステムの前記口座に前記入金額に対応した電子マネーが移転したことを示す入金結果を、前記電子マネーバンクシステムから受信することを特徴とする請求項10に記載の電子マネーバンク端末。
【請求項１２】
前記プロセッサは、前記電子マネーカードが保持する前記電子マネーの前記保持額が所定の金額を超えていることを検知して、前記検知に応答して前記入金の指示を前記電子マネーバンクシステムに送信することを特徴とする請求項11に記載の電子マネーバンク端末。
【請求項１３】
前記入力装置からの前記電子マネーの移転の指示は、前記口座から前記電子マネーカードへの出金の指示であって、前記口座を示す出金元口座、前記口座から出金する電子マネー種別、及び前記口座からの出金額を含み、前記プロセッサは、前記電子マネーバンクシステムから、前記電子マネーの移転の指示に対応した出金結果を受信し、前記出金結果に基づき、前記電子マネー発行会社システムより、前記出金額に対応した電子マネーを受信し、前記電子マネーカードに保持されている前記電子マネーの保持額に前記出金額を加算することを特徴とする請求項10に記載の電子マネーバンク端末。
【請求項１４】
前記プロセッサは、前記電子マネーカードが保持する前記電子マネーの前記保持額が所定の金額以下であることを検知して、前記検知に応答して前記出金の指示を前記電子マネーバンクシステムに送信することを特徴とする請求項13に記載の電子マネーバンク端末。
【請求項１５】
電子マネーの発行及び前記電子マネーの所有権を管理する電子マネー発行会社システムと通信ネットワークを介して接続し、
電子マネーカードを装着し、前記電子マネーカードの内容を読み書きする制御装置、
前記電子マネーカードから他の電子マネーカードへの前記電子マネーの送付の指示を入力する入力装置、及び
前記入力装置からの前記電子マネーの送付の指示は、前記他の電子マネーカードを特定する識別子、前記電子マネーカードから送付する電子マネー種別、及び前記電子マネーカードからの送付額を含み、
前記送付の指示を前記他の電子マネーカードを装着した電子マネーバンク端末へ送信し、前記送付する電子マネー種別に対応した、前記電子マネーカードに保持されている前記電子マネーの保持額から前記送付額を減算し、前記送付額に対応した前記電子マネーを前記電子マネー発行会社システムに送信するプロセッサを有することを特徴とする電子マネーバンク端末。
【請求項１６】
前記送付の指示を受信し、前記送付額に対応した受取額としての前記電子マネーを前記電子マネー発行会社システムから受信し、前記送付された電子マネー種別に対応した、前記他の電子マネーカードに保持されている前記電子マネーの保持額に前記受取額を加算するプロセッサを有する、前記他の電子マネーカードを装着した電子マネーバンク端末と接続することを特徴とする請求項15記載の電子マネーバンク端末。
【請求項１７】
前記他の電子マネーカードを装着した電子マネーバンク端末は、前記電子マネーカードを装着した電子マネーバンク端末と同じ端末であることを特徴とする請求項16記載の電子マネーバンク端末。
【発明の詳細な説明】
【技術分野】
【０００１】
本発明は、電子マネーバンクシステムおよび端末に関する。
【背景技術】
【０００２】
金銭的な価値を有する電子マネーを用いた取引のための、電子マネーシステムが実現されている。
【０００３】
異なる規格（種別）の電子マネーをＩＣカードにチャージし、取引した店からの精算を取り扱うことのできる共同センターの構成が開示されている。（例えば、特許文献１参照）。
【０００４】
【特許文献１】特開２００１−３０６９７７号公報
【発明の開示】
【発明が解決しようとする課題】
【０００５】
電子マネーが普及するにつれ、今後利用場面が多様化することが予想されている。たとえば、企業間の決済や、福利厚生、株式配当金、給与などの支払いに電子マネーを利用することが予想される。また、店舗における商品の購入や返品のような相対取引の決済処理や店舗からのポイントの発行に電子マネーを利用することが予想される。このような状況においては、多額の電子マネーを手元のＩＣカードに保有することが生じる。
【０００６】
電子マネーには異なる複数の規格（種別）があり、規格（種別）が異なる端末では利用できない。また、多額の電子マネーを手元のＩＣカードに保有することは、利用者にとっては盗難や紛失のリスクがあるため、多額の電子マネーを扱うには難がある。
【０００７】
本発明は、上記課題を鑑みてなされたものであり、電子マネーを口座に安全に保管し、必要なときに、必要な分だけ、必要な種類の電子マネーを取り出して利用できる、電子マネーバンクシステムおよび端末を提供することを主たる目的とする。
【課題を解決するための手段】
【０００８】
上記課題を解決するために、本発明は、次のような電子マネーバンクシステムおよび端末を構成する。
【０００９】
電子マネーバンクシステムは、電子マネーの発行及び電子マネーの所有権を管理する電子マネー発行会社システム及び電子マネーを用いた取引に関わる情報を送受信する電子マネーバンク端末と通信ネットワークを介して接続する。電子マネーの口座を管理するための顧客口座テーブルを格納する記憶装置を有し、電子マネーバンク端末からの、電子マネーカードと口座との間の電子マネーの移転の指示に応答して、電子マネーバンク端末から電子マネーの移転の指示を受けている電子マネー発行会社システムとの間で電子マネーを移転し、移転に応じて顧客口座テーブルの内容を更新し、電子マネーを移転した結果を電子マネーバンク端末へ送信する。
【００１０】
電子マネーバンクシステムの他の態様は、口座は電子マネー発行会社システムに対応した電子マネー種別応じて設けられている。電子マネーバンクシステムのさらに他の態様は、電子マネー種別応じた銀行残高と電子マネーとして所持する銀行所持額を保持する銀行残高テーブルを記憶装置が格納している。
【００１１】
本発明の他の態様の電子マネーバンク端末は、電子マネーの発行及び電子マネーの所有権を管理する電子マネー発行会社システム及び電子マネーの口座を管理する顧客口座テーブルを有する電子マネーバンクシステムと通信ネットワークを介して接続している。電子マネーカードを装着し、電子マネーカードの内容を読み書きする制御装置、電子マネーカードと口座との間の電子マネーの移転の指示を入力する入力装置、及び入力装置からの電子マネーの移転の指示の入力に応答して、電子マネーの移転の指示を電子マネーバンクシステムに送信し、電子マネーバンクシステムから電子マネーの移転の指示を受けた電子マネー発行会社システムと電子マネーカードとの間で、電子マネーを移転する。
【００１２】
他の態様の電子マネーバンク端末の他の態様は、電子マネーの発行及び電子マネーの所有権を管理する電子マネー発行会社システムと通信ネットワークを介して接続し、前記電子マネーカードの内容を読み書きする制御装置、電子マネーカードから他の電子マネーカードへの電子マネーの送付の指示を入力する入力装置、及び電子マネーの送付の指示は、他の電子マネーカードを特定する識別子、電子マネーカードから送付する電子マネー種別、及び電子マネーカードからの送付額を含み、送付の指示を他の電子マネーカードを装着した電子マネーバンク端末へ送信し、送付する電子マネー種別に対応した、電子マネーカードに保持されている電子マネーの保持額から送付額を減算し、送付額に対応した電子マネーを電子マネー発行会社システムに送信する。
【００１３】
その他、本願が開示する課題、およびその解決方法は、発明を実施するための最良の形態の欄、および図面により明らかにされる。
【発明の効果】
【００１４】
本発明によれば、従来存在しなかった電子マネーバンクシステムおよび端末を提供することができる。
【発明を実施するための最良の形態】
【００１５】
＜全体構成例＞
本実施の形態に係る電子マネーバンクシステム、電子マネーバンク端末及び他との関係をあらわす全体構成図を図１に示す。電子マネーバンクサービスを提供する電子マネーバンクシステム２００、電子マネーカード１１０を用いて電子マネーバンクサービスを利用するための電子マネーバンク端末３００、及びそれぞれの規格に準じた電子マネーの発行サービスを提供する電子マネー発行会社システム４００があり、それぞれ通信ネットワーク１２０を介して接続されている。
【００１６】
電子マネー発行会社システム４００は、それぞれの規格に準じた電子マネーを電子マネーカードに発行する。電子マネー発行会社システム４００は、電子マネーの所有者を移転する際には、電子マネーの所有者の電子マネーを徴収し、電子マネー移転先の電子マネーカードに電子マネーを発行する。すなわち、発行した電子マネーの所有権を管理するために、電子マネーのある所有者から他の所有者への移転に、電子マネー発行会社システム４００が介在する。  ＜電子マネーバンクシステム構成例＞
本実施の形態に係る電子マネーバンクシステム２００の構成を図２に示す。電子マネーバンクシステム２００は、ＣＰＵ（プロセッサ）２１０、メモリ２２０、ポート２３０、記憶媒体読取装置２４０、入力装置２５０、出力装置２６０、及び記憶装置２７０を備える。
【００１７】
ＣＰＵ２１０は、電子マネーバンクシステム２００の全体を制御するもので、記憶装置２７０に記憶された制御プログラム２９０をメモリ２２０に読み出して実行することにより、電子マネーバンクシステム２００としての各種機能を実現する。例えば、入金処理部２１１、出金処理部２１２、振込処理部２１３、電子マネー調達処理部２１４、自動出金処理部２１５、及び自動入金処理部２１６の各プログラムを実行する。
【００１８】
メモリ２２０は、例えば半導体記憶装置により構成される。ポート２３０は、ネットワーク１２０を介して電子マネー発行会社システム４００や電子マネーバンク端末３００と通信するための装置である。また、ネットワーク１２０を介して、制御プログラム２９０を、ポート２３０を通じて他の情報処理装置から受信して、メモリ２２０や記憶装置２７０に記憶することもできる。また、顧客口座テーブル６００、銀行残高テーブル７００、などの各種テーブルを他の情報処理装置（記憶装置）に格納しておき、ポート２３０を通じて受信して、制御プログラム２９０の処理に利用することもできる。
【００１９】
記憶媒体制御装置２４０は、記憶媒体２８０に記憶されているプログラムやデータを読み取る、またデータなどを記憶媒体２８０に書き込むための装置である。読み取られたプログラムやデータはメモリ２２０や記憶装置２７０に格納される。例えば記憶媒体２８０に記録された制御プログラム２９０を、記憶媒体制御装置２４０を用いて記憶媒体２８０から読み取って、メモリ２２０や記憶装置２７０に記憶することができる。記憶媒体２８０としてはフレキシブルディスクや磁気テープ、ＣＤ−ＲＯＭ、半導体記憶装置などを用いる。記憶媒体制御装置２４０は、電子マネーバンクシステム２００に内蔵されている形態とすることもできるし、外付けされている形態とすることもできる。
【００２０】
入力装置２５０は、オペレータなどによる電子マネーバンクシステム２００へのデータ入力などのために用いられる装置であり、ユーザインターフェースとして機能する。入力装置２５０としては例えば、キーボードやマウスなどを用いる。
【００２１】
出力装置２６０は、情報を外部へ出力するための装置であり、ユーザインターフェースとして機能する。出力装置２６０としては、例えばディスプレイやプリンタなどを用いる。
【００２２】
記憶装置２７０は、例えば、ハードディスク装置や半導体記憶装置などである。記憶装置２７０には、制御プログラム２９０、顧客口座テーブル６００、銀行残高テーブル７００などが記憶される。なお、制御プログラム２９０は、複数のプログラムにより構成することもできる。
【００２３】
電子マネーバンクシステム２００は、いわゆるサーバやワークステーションから構成されるものであってもよい。
【００２４】
＜電子マネーバンク端末構成例＞
本実施の形態に係る電子マネーバンク端末３００の構成を図３に示す。電子マネーバンク端末３００は、ＣＰＵ（プロセッサ）３１０、メモリ３２０、ポート３３０、記憶媒体制御装置３４０、入力装置３５０、出力装置３６０、及び記憶装置３７０を備える。
【００２５】
ＣＰＵ３１０は、電子マネーバンク端末３００の全体を制御するもので、記憶装置３７０に記憶された制御プログラム３９０をメモリ３２０に読み出して実行することにより、電子マネーバンクバンク端末３００としての各種機能を実現する。例えば、入金要求部３１１と、出金要求部３１２、振込要求部３１３、自動出金要求部３１４、自動入金要求部３１５、及び端末間電子マネー送付（受取）部３１６の各プログラムを実行する。
【００２６】
メモリ３２０は、例えば半導体記憶装置により構成される。ポート３３０は、ネットワーク１２０を介して電子マネーバンクシステム２００などと通信するための装置である。記憶媒体制御装置３４０は、記憶媒体制御装置３４０に装着される記憶媒体３８０や電子マネーカード１１０に記憶されているプログラムやデータを読み取る、またデータなどを記憶媒体３８０に書き込むための装置である。読み取られたプログラムやデータはメモリ３２０や記憶装置３７０に格納される。
【００２７】
入力装置３５０は、利用者などによる電子マネーバンク端末３００へのデータ入力などのために用いられる装置でありユーザインターフェースとして機能する。入力装置３５０としては例えば、キーボードやタッチパネルなどを用いる。出力装置３６０は、情報を外部へ出力するための装置であり、ユーザインターフェースとして機能する。出力装置３６０としては、例えばディスプレイなどを用いる。
【００２８】
記憶装置３７０は、例えばハードディスク装置や半導体記憶装置などである。記憶装置３７０には、制御プログラム３９０が記憶される。なお、制御プログラム３９０は、複数のプログラムにより構成することもできる。
【００２９】
電子マネーバンク端末３００は、いわゆる利用者の携帯電話、または店頭の情報端末などであってもよい。電子マネーカード１１０は、例えばＩＣカードなどである。
【００３０】
＜処理の流れ＞
本実施の形態に係る処理には、電子マネーバンクが提供するサービスである、電子マネーの入金、出金、振込、電子マネー調達、自動出金、自動入金及び端末間電子マネー送付（受取）の各処理がある。
【００３１】
入金、出金、振込、自動出金、自動入金、及び端末間電子マネー送付（受取）の各処理は、電子マネーの移転を管理する処理である。入金、出金、自動出金、及び自動入金の各処理は、ユーザが電子マネーバンクに所有する電子マネー口座（以下、単に「口座」と呼ぶ。）とそのユーザが所有する電子マネーカードとの間で電子マネーを移転させる処理であり、振込はユーザが電子マネーバンクに所有する口座と他の口座との間で電子マネーを移転させる処理である。振込の場合、他の口座は、そのユーザの口座であっても、他のユーザの口座であっても良い。さらに、他の口座は他の電子マネーバンクにあっても良い。端末間電子マネー送付（受取）処理は、ある電子マネーカードから他の電子マネーカードへ電子マネーを移転させる処理である。
【００３２】
入金、出金、振込、自動出金、及び自動入金の各処理は、電子マネーバンク端末からの要求に基づき、電子マネーバンクシステム２００が処理するものである。よって、それぞれの要求に対する処理の開始にあたり共通の処理として、電子マネーバンクシステム２００は顧客の認証処理と、入金、出金、振込、自動出金、及び自動入金のいずれかを選択するモード選択処理とを実行する。これらは、一般的なものであり、当業者にとっては容易に想定可能であるため、説明を省略する。
【００３３】
本実施の形態に係る入金処理の流れを、図４の処理フローに従い、図５から図８を用いながら説明する。入金処理は、後述するように、相対取引などによる端末間電子マネー送付（受取）処理の結果、多額の電子マネーを手元の電子マネーカードに保有することになった場合などに対応する処理である。
【００３４】
＜ステップ４１１＞電子マネーバンク端末：入金指示情報入力
電子マネーバンク端末３００は、ユーザによる入力装置３５０の操作により、ユーザが保有している電子マネーを電子マネーバンクシステム２００のユーザの口座へ入金するための入金指示情報を入力する。
【００３５】
入金指示情報の入力画面例５００を図５に示す。入金情報の入力画面５００は、ユーザが保有している電子マネー種別表示エリア５１０、電子マネー種別毎の手元所持額（保有金額）表示エリア５２０、入金する電子マネーの入金額入力エリア５３０、及び決定ボタンエリア５４０からなる。電子マネーバンク端末３００は、電子マネー種別表示エリア５１０と、電子マネーの手元所持額表示エリア５２０には、電子マネーカード１１０に保有されている情報を、記憶媒体制御装置３４０を用いて読み取り、表示する。入金額入力エリア５３０は、ユーザが電子マネーバンクの口座に入金する金額を入力するエリアである。電子マネーバンク端末３００は、手元所持額表示エリア５２０の金額よりも、大きな金額が入力された場合にはアラームを表示するか、もしくは大きな金額は入力できないようにする。ユーザは、入金額を入力した後、決定ボタンエリア５４０を押下入力する。
【００３６】
＜ステップ４１２＞電子マネーバンク端末：入金指示情報および電子マネー送信
電子マネーバンク端末３００は、ステップ４１１で入力した入金指示情報に基づき、入金指示情報および電子マネーを、電子マネーバンクシステム２００および電子マネー発行会社システム４００へ送信する。
【００３７】
電子マネーバンク端末３００は、ステップ４１１で入力された入金指示情報を、通信ネットワーク１２０を介して、電子マネーバンクシステム２００へ送信する。入金指示情報には、少なくともユーザＩＤ、電子マネーバンクシステム２００にある口座番号、電子マネー種別、及び入金額を含んでいる。ユーザＩＤは、説明を省略した事前の認証処理の段階で、電子マネーバンク端末３００に入力されている。
【００３８】
電子マネーバンク端末３００は、ステップ４１１で入力された入金額に対応する電子マネーを、電子マネーカード１１０から取得し、ユーザＩＤ、電子マネーバンクシステム名称（ＩＤ）と共に、通信ネットワーク１２０を介して、電子マネー発行会社システム４００へ送信する。その際、送信先は、入金対象となる電子マネーの種別に対応した、電子マネー発行会社システムである。
【００３９】
なお、電子マネーバンク端末３００から電子マネーバンクシステム２００及び電子マネー発行会社システム４００の各々へ、それぞれ一回の入金指示情報の送信とすることにより、ネットワーク１２０を使用する通信量を少なくしている。
【００４０】
＜ステップ４２１＞電子マネー発行会社システム：電子マネー受信
電子マネー発行会社システム４００は、電子マネーバンク端末３００からの電子マネー、ユーザＩＤ、及び電子マネーバンクシステム名称（ＩＤ）を受信する。
【００４１】
＜ステップ４３１＞電子マネーバンクシステム：入金指示情報の受信
電子マネーバンクシステム２００は、通信ネットワーク１２０を介して、電子マネーバンク端末３００からの入金指示情報を受信する。
【００４２】
＜ステップ４３２＞電子マネーバンクシステム：電子マネーの受信
ステップ４３１で受信した入金指示情報に基づき、電子マネーバンクシステム２００は、電子マネー発行会社システム４００に問合せ（電子マネーの送信を要求し）、電子マネーを受信する。この際に、電子マネーバンクシステム２００は、ユーザＩＤ及び電子マネーバンクシステム名称（ＩＤ）を送信し、その応答として電子マネーを受信する。図４のステップ４２２とステップ４３２との間を双方向矢印で示しているのは、要求に応じて送信されるPull型の電子マネーの転送を示している。
【００４３】
＜ステップ４２２＞電子マネー発行会社システム：電子マネー送信
電子マネー発行会社システム４００は、電子マネーバンクシステム２００からの要求に基づき、ステップ４２１で受信した電子マネーを送信する。電子マネー発行会社システム４００は、電子マネーバンク端末３００から受信したユーザＩＤ、及び電子マネーバンクシステム名称（ＩＤ）と電子マネーバンクシステム２００からの要求に伴ったユーザＩＤ及び電子マネーバンクシステム名称（ＩＤ）とが照合できたならば、電子マネーを送信する。照合できないならば、電子マネーを送信できない旨を電子マネーバンクシステムに応答する。電子マネーを送信できない場合は、図示を省略するが、電子マネーバンク端末３００へ、入金できなかった旨を送信し、ユーザによる電子マネーバンク端末３００の次の操作を待つ。次の操作としては、再試行又は入金処理のキャンセルがある。キャンセルされた場合は、電子マネー発行会社システム４００は、受信した電子マネーを電子マネーバンク端末３００を介して電子マネーカード１１０に戻す。
【００４４】
＜ステップ４３３＞電子マネーバンクシステム：顧客口座テーブル更新
電子マネーバンクシステム２００は、顧客口座テーブル６００の口座残高情報を更新する。顧客口座テーブル６００のテーブル構成例を図６に示す。顧客口座テーブル６００は、口座番号フィールド６１０、電子マネー種別フィールド６２０、及び残高フィールド６３０からなる。
【００４５】
具体的には、ユーザ認証時に得られた口座番号と、入金指示情報として送信された入金電子マネー種別とから、口座番号フィールド６１０、電子マネー種別フィールド６２０に該当するレコードを検索し、当該レコードの残高フィールド６３０の値を入金額分だけ加算することで、残高を更新する。ここで、口座番号と電子マネー種別の各フィールドによって口座レコードを特定したが、口座番号と電子マネー種別フィールドのかわりに、それらを同時に一意に特定できる口座番号フィールドを設けて（電子マネー種別に対応して口座番号を設けて）、それを用いても良い。また、残高情報だけでなく、入金の取引履歴をテーブルとして記憶し、保管してもよい。
【００４６】
電子マネーの種別に対応して口座を設けるのは、電子マネーの種別によって同じ単位であっても、それらの価値（バリュー）が異なることがあるからである。本実施形態では、分かり易くするために電子マネーの単位を「円」としているが、いわゆる通過としての日本円と価値（バリュー）が異なっても良い。
【００４７】
＜ステップ４３４＞電子マネーバンクシステム：銀行残高テーブル更新
電子マネーバンクシステム２００は、銀行残高テーブル７００の、銀行所持額情報と合計残高を、更新する。銀行残高テーブル７００のテーブル構成例を図７に示す。銀行残高テーブル７００は、電子マネー種別フィールド７１０、銀行所持額フィールド７２０、合計残高フィールド７３０とからなる。
【００４８】
具体的には、入金指示情報として送信された入金電子マネー種別に対して、電子マネー種別フィールド７１０に該当するレコードを検索し、当該レコードの銀行所持額フィールド７２０、合計残高フィールド７３０を入金額分だけ加算することで、残高を更新する。銀行残高及び銀行所持額の詳細に関しては、図１４を用いて後述する。
【００４９】
＜ステップ４３５＞電子マネーバンクシステム：入金結果の送信
電子マネーバンクシステム２００は、入金結果を、通信ネットワーク１２０を介して、電子マネーバンク端末３００に送信する。
【００５０】
＜ステップ４１３＞電子マネーバンク端末：入金結果の受信
電子マネーバンク端末３００は、入金結果を、通信ネットワーク１２０を介して電子マネーバンクシステム２００から受信する。
【００５１】
入金結果の受信画面８００の例を図８に示す。入金結果の受信画面８００は、入金電子マネー種別エリア８１０、入金額表示エリア８２０、口座残高表示エリア８３０、手元所持金額表示エリア８４０とからなる。
【００５２】
以下では、図４を用いた入金処理の説明と重複するようなユーザIDに関わる処理などの説明は適宜省略又は簡略に説明する。
【００５３】
次に、本実施の形態に係る出金処理の流れを、図９の処理フローに従い、図１０及び図１１を用いながら説明する。
【００５４】
＜ステップ９１１＞電子マネーバンク端末：出金指示情報入力
電子マネーバンク端末３００は、ユーザによる入力装置３５０の操作により、電子マネーバンクシステム２００のユーザの口座から、電子マネーをユーザの電子マネーカードへ出金するための出金指示情報を入力する。
【００５５】
出金指示情報の入力画面１０００の例を図１０に示す。出金指示情報の入力画面１０００は、保有している電子マネー種別表示エリア１０１０と、当該電子マネーの種別毎の手元所持金額表示エリア１０２０、出金する電子マネーの金額入力エリア１０３０、及び決定ボタンエリア１０４０とからなる。
【００５６】
保有している電子マネー種別表示エリア１０１０と、当該電子マネーの手元所持金額表示エリア１０２０には、電子マネーカード１１０に保有されている情報を、記憶媒体制御装置３４０を用いて読み取り、表示する。出金額入力エリア１０３０は、電子マネーバンクの口座から電子マネーカードに出金する電子マネーの金額を入力するエリアである。出金額を入力した後、決定ボタンエリア１０４０を押下入力する。
【００５７】
＜ステップ９１２＞電子マネーバンク端末：出金指示情報送信
出金情報の入力画面１０００の決定ボタン１０４０を押下入力することで、出金指示情報を、電子マネーバンクシステム２００へ送信する。
【００５８】
＜ステップ９３１＞電子マネーバンクシステム：出金指示情報の受信
電子マネーバンクシステム２００は、通信ネットワーク１２０を介して、電子マネーバンク端末３００からの出金指示情報を受信する。
【００５９】
＜ステップ９３２＞電子マネーバンクシステム：電子マネーの送信
ステップ９３１で受信した出金指示情報の出金額に基づき、電子マネーバンクシステム２００は、電子マネー発行会社システム４００に、電子マネーを送信する。電子マネーの送信の前に、ユーザID等のユーザに関わる確認、出金する電子マネーの口座残高の確認などを実行する。
【００６０】
＜ステップ９２１＞電子マネー発行会社システム：電子マネー受信
電子マネー発行会社システム４００は、電子マネーバンクシステム２００からの電子マネーを受信する。
【００６１】
＜ステップ９３３＞電子マネーバンクシステム：顧客口座テーブル更新
電子マネーバンクシステム２００は、出金結果に基づき、顧客口座テーブル６００の、口座残高情報を、更新する。
【００６２】
具体的には、ユーザ認証時に得られた口座番号と、出金指示情報で送信された出金電子マネー種別とから、口座番号フィールド６１０、電子マネー種別フィールド６２０に該当するレコードを検索し、当該レコードの残高フィールド６３０の値を出金額分だけ減算することで、残高を更新する。
【００６３】
また、ここで、残高情報だけでなく、出金の取引履歴をテーブルとして記憶し、保管してもよい。
【００６４】
＜ステップ９３４＞電子マネーバンクシステム：銀行残高テーブル更新
電子マネーバンクシステム２００は、銀行残高テーブル７００の、銀行所持額情報と合計残高を、更新する。
【００６５】
具体的には、出金指示情報で送信された出金電子マネー種別に対して、電子マネー種別フィールド７１０に該当するレコードを検索し、当該レコードの銀行所持額フィールド７２０、合計残高フィールド７３０を出金額分だけ減算することで、残高を更新する。
【００６６】
＜ステップ９３５＞電子マネーバンクシステム：出金結果の送信
電子マネーバンクシステム２００は、出金結果を、通信ネットワーク１２０を介して、電子マネーバンク端末３００に送信する。
【００６７】
＜ステップ９１３＞電子マネーバンク端末：出金結果の受信
電子マネーバンク端末３００は、出金結果を、通信ネットワーク１２０を介して電子マネーバンクシステム２００から受信する。
【００６８】
出金結果の受信画面１１００の例を図１１に示す。出金結果の受信画面１１００は、出金電子マネー種別エリア１１１０、出金額表示エリア１１２０、残高表示エリア１１３０、手元所持額表示エリア１１４０とからなる。手元所持額表示エリア１１４０には、出金指示情報の入力時に電子マネーカード１１０から読み取り、表示した出金前の手元所持額に出金額を加算した値を表示する。
【００６９】
＜ステップ９１４＞電子マネーバンク端末：電子マネーの受信
ステップ９１３で受信した出金結果に基づき、電子マネーバンク端末３００は、電子マネー発行会社システム４００に問合せ、出金額分の電子マネーを受信する。入金処理で説明したように、ここでもPull型により電子マネーを転送する。電子マネーバンク端末３００は、受信した電子マネーを電子マネーカード１１０に格納する。
【００７０】
＜ステップ９２２＞電子マネー発行会社システム：電子マネー送信
電子マネー発行会社システム４００は、電子マネーバンク端末３００からの要求（問合せ）に基づき、ステップ９２１で受信した電子マネーを送信する。
【００７１】
以上、本実施の形態によれば、電子マネーを口座に安全に入金、保管し、紛失や盗難などの恐れがなくなり、また、必要なときに、必要な種類、金額の電子マネーを手元に出金し、取引に利用することができるようになる。
【００７２】
次に本実施の形態に係る振込処理の流れを、図１２の処理フローに従い説明する。振込処理は、電子マネーバンクのある口座から他の口座へ電子マネーを振り込む処理である。ここでは説明を分かり易くするために、同じ電子マネーバンクシステム２００にある口座間の振込処理を説明するが、他の電子マネーバンクシステム２００にある口座への振込処理も、ここでの説明から容易に理解されるであろう。
【００７３】
＜ステップ１２１１＞電子マネーバンク端末：振込情報入力
電子マネーバンク端末３００は、ユーザによる入力装置３５０の操作より、電子マネーを電子マネーバンクシステム２００の口座から、他の口座へ振り込むための振込指示情報を入力する。
【００７４】
振込指示情報の入力画面１３００の例を図１３に示す。振込情報の入力画面１３００は、保有している電子マネー種別表示エリア１３１０と、振込する電子マネーの金額入力エリア１３２０、振込先口座番号の入力エリア１３３０と、振込先の電子マネー種別入力エリア１３４０、振込決定ボタンエリア１３５０とからなる。
【００７５】
振込先の電子マネー種別は、必ずしも、振込元の電子マネー種別と同じである必要はない。電子マネー種別が振込元と振込先で異なっている場合には、振込金額に対して、所定の交換レートに基づいて、振込先へ入金する金額を決定する。このようにすることにより、同一ユーザの異なる電子マネー種別の口座間の振込みが可能になり、電子マネーの種別による使い勝手に応じて電子マネーを移転させることができる。
【００７６】
＜ステップ１２１２＞電子マネーバンク端末：振込指示情報送信
振込指示情報の入力画面１３００の送信ボタン１３５０を押下入力することで、ステップ１２１１で入力した振込指示情報を、電子マネーバンクシステム２００へ送信する。
【００７７】
＜ステップ１２２１＞電子マネーバンクシステム：振込指示情報の受信
電子マネーバンクシステム２００は、通信ネットワーク１２０を介して、電子マネーバンク端末３００からの振込指示情報を受信する。
【００７８】
＜ステップ１２２２＞電子マネーバンクシステム：顧客口座テーブル更新
電子マネーバンクシステム２００は、ステップ１２１１で受信した振込指示情報に基づき、顧客口座テーブル６００の、口座残高情報を更新する。
【００７９】
具体的には、ユーザ認証時に得られた振込元の口座番号と、振込指示情報で送信された振込元電子マネー種別とから、口座番号フィールド６１０、電子マネー種別フィールド６２０に該当するレコードを検索し、当該レコードの残高フィールド６３０の値を振込金額分だけ減算することで、残高を更新する。
【００８０】
また、振込先口座番号と、振込先電子マネー種別とから、口座番号フィールド６１０、電子マネー種別フィールド６２０に該当するレコードを検索し、当該レコードの残高フィールド６３０の値を振込金額分だけ加算することで、残高を更新する。
【００８１】
また、残高情報だけでなく、振込の取引履歴情報をテーブルとして記憶し、保管してもよい。
【００８２】
＜ステップ１２２３＞電子マネーバンクシステム：銀行残高テーブル更新
電子マネーバンクシステム２００は、銀行残高テーブル７００の、合計残高を、更新する。
【００８３】
具体的には、振込指示情報で送信された振込元電子マネー種別に対して、電子マネー種別フィールド７１０に該当するレコードを検索し、当該レコードの合計残高フィールド７３０を振込金額分だけ減算する。また、振込指示情報の振込先電子マネー種別に対して電子マネー種別フィールド７１０に該当するレコードを検索し、当該レコードの合計残高フィールド７３０を振込金額分だけ加算する。銀行残高及び銀行所持額の詳細に関しては、図１４を用いて後述する。
【００８４】
＜ステップ１２２４＞電子マネーバンクシステム：振込結果の送信
電子マネーバンクシステム２００は、振込結果を、通信ネットワーク１２０を介して、電子マネーバンク端末３００に送信する。振込結果には必要に応じて振込元の口座残高が含まれる。
【００８５】
＜ステップ１２１３＞電子マネーバンク端末：振込結果の受信
電子マネーバンク端末３００は、振込結果を、通信ネットワーク１２０を介して電子マネーバンクシステム２００から受信する。
【００８６】
以上、本発明の実施形態によれば、多額の電子マネーを安全に他の口座へ移動させることができる。これにより、振込元から振込先へ対して、電子マネーを用いた、給与の振込や配当金の支払が可能となる。また、振込元を購入者の口座、振込先を販売者の口座とすることで、各種取引においての電子マネーを用いた支払が、電子マネー口座を介して容易に実現できる。
【００８７】
次に本実施の形態に係る電子マネーの調達処理の流れを、図１３の処理フローに従い、図１４を用いながら説明する。電子マネーの調処理は、電子マネーバンクシステムが、出金用に必要な電子マネーを調達するための処理である。
【００８８】
＜ステップ１４０１＞顧客口座の合計残高の検索
電子マネーバンクシステム２００は、銀行残高テーブル７００の合計残高フィールド７３０を検索し、電子マネー種別ごとに、合計残高を検索する。
【００８９】
＜ステップ１４０２＞銀行所持金額の検索
電子マネーバンクシステム２００は、銀行残高テーブル７００の銀行所持額フィールド７２０を検索し、電子マネー種別ごとに、銀行の所持金額を検索する。
【００９０】
＜ステップ１４０３＞合計残高と、所持金額の比較
電子マネー種別ごとに、ステップ１４０１で計算した顧客口座合計残高と、ステップ１４０２で検索した銀行所持金額とを比較し、所持金額が口座合計残高と比べて所定金額以上少ない場合（以下の場合）には、ステップ１４０４を処理する。多い場合には、処理を終了する。
【００９１】
＜ステップ１４０４＞電子マネー購入（調達）
ステップ１４０３で算出した不足分について、該当する電子マネー種別に対応する、電子マネー発行会社システム４００より、電子マネーを購入する。
【００９２】
＜ステップ１４０５＞銀行残高テーブル更新
ステップ１４０４で購入した電子マネーの金額について、銀行残高テーブル７００の銀行所持額フィールド７２０の残高を更新する。
【００９３】
以上、ある電子マネーの全口座残高に対して、電子マネーバンクが実際に保持している電子マネーが、足りなくなりそうになったら、電子マネー発行会社から調達することにより、電子マネー発行会社システムと逐一通信せずに、口座間で振込処理することができ、電子マネー発行会社との効率的な通信が可能となる。
【００９４】
次に、本実施の形態に係る自動出金処理の流れを、図１５の処理フローに従い説明する。
【００９５】
＜ステップ１５１１＞電子マネーバンク端末：電子マネー所持額不足の検出
電子マネーバンク端末３００は、電子マネーカード１１０を読み取り、所持している電子マネーの金額を検索する。検索した所持金額が、予め定めたある金額以下の電子マネーであれば、所持額不足として検出する。予め定めたある金額は、電子マネーカード１１０に記憶され、電子マネー発行会社４００が予め決めた金額であっても良いし、ユーザが自ら決めた金額でも良い。
【００９６】
＜ステップ１５１２＞電子マネーバンク端末：自動出金指示情報の送信
ステップ１５１１で検出した所持額不足の電子マネーについて、電子マネーバンク端末３００は、電子マネーバンクシステム２００の口座から、予め定めたある金額の電子マネーを電子マネーカードへ自動出金するための自動出金指示情報を送信する。自動出金指示情報は、出金元口座、出金電子マネー種別、出金額からなる。
【００９７】
以下、電子マネーバンクシステム３００がステップ１５３１にて、自動出金指示情報を受信してから、電子マネーバンク端末２００がステップ１５１４にて電子マネーを受信するまでの処理は、図９の出金処理フローにおけるステップ９３１からステップ９１４までの処理とほぼ同じであるため、説明を省略する。
【００９８】
以上、電子マネーカードで手元に所持している電子マネーが少なくなった場合に、自動的にこれを検出し、電子マネーバンクの口座から出金することができ、出金指示を利用者が入力する必要がなく、必要なときに、必要な金額だけ電子マネーを手元の電子マネーカードに置いて利用することが可能となる。
【００９９】
次に、本実施の形態に係る自動入金処理の流れを、図１６の処理フローに従い説明する。自動入金処理は、後述するように、相対取引などによる端末間電子マネー送付（受取）処理の結果、多額の電子マネーを手元の電子マネーカードに保有することになった場合などに対応する処理である。
【０１００】
＜ステップ１６１１＞電子マネーバンク端末：電子マネー所持額超過の検出
電子マネーバンク端末３００は、電子マネーカード１１０を読み取り、所持している電子マネーの金額を検索する。検索した所持金額が、予め定めたある金額以上の電子マネーであれば、所持額超過として検出する。この予め定めたある金額も、電子マネーカード１１０に記憶され、電子マネー発行会社４００が予め決めた金額であっても良いし、ユーザが自ら決めた金額でも良い。ただし、所持額超過を検出するための金額は、所持額不足を検出する金額よりも大である。
【０１０１】
＜ステップ１６１２＞電子マネーバンク端末：自動入金指示情報および電子マネーの送信
ステップ１６１１で検出した所持額超過の電子マネーについて、電子マネーバンク端末３００は、電子マネーバンクシステム２００の口座に対して、予め定めた金額の電子マネーを電子マネーカードへ自動入金するための自動入金指示情報を送信する。自動入金指示情報は、入金元口座、入金電子マネー種別、入金額からなる。
【０１０２】
また、入金額に相当する電子マネーを、対応する電子マネー発行会社システム４００へ送信する。
【０１０３】
以下、電子マネーバンクシステム３００がステップ１６３１にて、自動入金指示情報を受信してから、電子マネーバンク端末２００がステップ１６１３にて自動入金結果を受信するまでの処理は、図４の入金処理フローにおけるステップ４３１からステップ４１３までの処理とほぼ同じであるため、説明を省略する。
【０１０４】
以上、電子マネーカードで手元に所持している電子マネーが多くなり超過した場合に、自動的にこれを検出し、電子マネーバンクの口座に対して入金することができ、入金指示を利用者が入力する必要がなく、必要なときに、必要な金額だけ電子マネーを手元の電子マネーカードに置いて利用し、超過した電子マネーは口座に安全に保管することが可能となる。
【０１０５】
本実施の形態に係る端末間電子マネー送付（受取）処理の流れを、図１７の処理フローに従って説明する。ある電子マネーバンク端末の電子マネーカードから他の電子マネーバンク端末の他の電子マネーカードへの電子マネーの送付は、相対取引における決済処理に電子マネーを用いる場合に生じることが多い処理である。したがって、ある電子マネーバンク端末と他の電子マネーバンク端末は隣接して設置されている場合や、端末間電子マネー送付を容易にするために、送付側と受取側の２つの電子マネーカードを装着できるようにした電子マネーバンク端末を用いる。
【０１０６】
ここでは、説明を分かり易くするためにある電子マネーバンク端末を電子マネーバンク端末Ａ、他の電子マネーバンク端末を電子マネーバンク端末Ｂとして説明する。
【０１０７】
＜ステップ１７１１＞電子マネーバンク端末Ａ：送付指示情報入力
電子マネーバンク端末Ａは、ユーザによる入力装置３５０の操作により、電子マネーバンク端末Ａに装着した電子マネーカードに保持されている電子マネーを電子マネーバンク端末Ｂの電子マネーカードへ送付するための送付指示情報を入力する。
【０１０８】
送付指示情報の入力画面例は図５に示した入金情報の入力画面５００に類似している。図５に示す画面例の口座番号に代えて、受取側の電子マネーカードを識別する情報を、ユーザからの入力に応じて表示する。この識別する情報は、たとえば受取側のユーザＩＤである。ここでは、電子マネーバンク端末Ａと電子マネーバンク端末Ｂとが異なることを前提として説明するので、受取側の電子マネーカードを装着した電子マネーバンク端末Ｂを識別する識別子も、ユーザからの入力に応じて表示する。
【０１０９】
図5の入金額が本処理の場合は、送付額になる。電子マネーバンク端末Ａは、手元所持額表示エリア５２０の金額よりも、大きな送付額が入力された場合にはアラームを表示するか、もしくは大きな送付額は入力できないようにする。ユーザは、送付額を入力した後、決定ボタンエリア５４０を押下入力する。
【０１１０】
＜ステップ１７１２＞電子マネーバンク端末：送付指示情報および電子マネー送信
電子マネーバンク端末Ａは、ステップ１７１１で入力した送付指示情報に基づき、入金指示情報および電子マネーを、電子マネーバンク端末Ｂおよび電子マネー発行会社システム４００へ送信する。
【０１１１】
電子マネーバンク端末Ａは、ステップ１７１１で入力された送付指示情報を、通信ネットワーク１２０を介して、電子マネーバンク端末Ｂへ送信する。送付指示情報には、少なくとも送付元ユーザＩＤ、送付先ユーザＩＤ、電子マネーバンク端末Ｂの識別子、電子マネー種別、及び送付額を含んでいる。送付元ユーザＩＤは、説明を省略した事前の認証処理の段階で、電子マネーバンク端末Ａに入力され、送付先ユーザＩＤ及び電子マネーバンク端末Ｂの識別子は送付先を特定するために入力されている。
【０１１２】
なお、電子マネーバンク端末又は電子マネー発行会社システム４００にユーザＩＤとユーザ名との対応表を持ち、電子マネーバンク端末の画面へユーザＩＤに代えてユーザ名を表示するようにしても良い。電子マネーバンク端末Ｂの識別子を用いて、電子マネーバンク端末Ｂのアドレスを検索し、電子マネーバンク端末Ａと電子マネーバンク端末Ｂとの間の通信リンクを確立するが、容易に理解される技術であるので、説明を省略する。
【０１１３】
電子マネーバンク端末Ａは、ステップ１７１１で入力された送付額に対応する電子マネーを、電子マネーバンク端末Ａに装着された電子マネーカード１１０から取得し、送付元ユーザＩＤ、送付先ユーザＩＤ、電子マネーバンク端末Ｂの識別子と共に、通信ネットワーク１２０を介して、電子マネー発行会社システム４００へ送信する。その際、送信先は、送付対象となる電子マネーの種別に対応した、電子マネー発行会社システムである。
【０１１４】
＜ステップ１７２１＞電子マネー発行会社システム：電子マネー受信
電子マネー発行会社システム４００は、電子マネーバンク端末Ａからの送付電子マネー、送付元ユーザＩＤ、送付先ユーザＩＤ、及び電子マネーバンク端末Ｂの識別子を受信する。
【０１１５】
＜ステップ１７３１＞電子マネーバンク端末Ｂ：送付指示情報の受信
電子マネーバンク端末Ｂは、通信ネットワーク１２０を介して、電子マネーバンク端末Ａからの送付指示情報を受信する。
【０１１６】
＜ステップ１７３２＞電子マネーバンク端末Ｂ：受取指示情報の送信
電子マネーバンク端末Ｂは、電子マネーバンク端末Ａからの送付指示情報を受信し、その内容を受取指示情報として表示する。その表示画面は、図１０を用いて説明した出金指示情報の入力画面１０００に類似する。図１０に示す画面例の口座番号に代えて、送付元のユーザＩＤを表示する。図１０の出金額が本処理の場合は、受取額になる。受取側のユーザは、受取額を確認した後、決定ボタンエリア１０４０を押下入力する。決定ボタン１０４０を押下入力することで、受取指示情報を、電子マネー発行会社システム４００へ送信する。
【０１１７】
＜ステップ１７２２＞電子マネー発行会社システム：受取指示情報受信
電子マネー発行会社システム４００は、通信ネットワーク１２０を介して、電子マネーバンク端末Ｂからの受取指示情報を受信する。
【０１１８】
＜ステップ１７２３＞電子マネー発行会社システム：電子マネーの送信
ステップ１７２２で受信した受取指示情報の受取額に基づき、電子マネー発行会社システム４００は、電子マネーバンク端末Ｂに電子マネーを送信する。電子マネーの送信の前に、ユーザID等のユーザに関わる確認などを実行する。
【０１１９】
＜ステップ１７３３＞電子マネーバンク端末Ｂ：電子マネーの受信
電子マネーバンク端末Ｂは電子マネー発行会社システム４００からの電子マネーを受信する。
【０１２０】
以上の端末間電子マネー送付処理の説明において、送付元及び送付先の電子マネーカード１１０の手元所持額の更新に関する説明を省略したが、他の処理の説明から理解されるであろう。また、ステップ１７２３及び１７３３において電子マネーを送受信する際に、他の処理において説明したPull型による電子マネーの転送を用いても良い。
【０１２１】
以上発明を実施するための最良の形態について説明したが、上記実施の形態は本発明の理解を容易にするためのものであり、本発明を限定して解釈するためのものではない。
【図面の簡単な説明】
【０１２２】
【図１】本実施の形態に係る全体構成を示すブロック図である。
【図２】本実施の形態に係る電子マネーバンクシステムの構成を示すブロック図である。
【図３】本実施の形態に係る電子マネーバンク端末の構成を示すブロック図である。
【図４】本実施の形態に係る電子マネーの入金処理フロー図である。
【図５】本実施の形態に係る電子マネーの入金指示情報を入力する画面の例を示す図である。
【図６】本実施の形態に係る顧客口座テーブルの例を示す図である。
【図７】本実施の形態に係る銀行残高テーブルの例を示す図である。
【図８】本実施の形態に係る入金結果受信画面の例を示す図である。
【図９】本実施の形態に係る電子マネーの出金処理フロー図である。
【図１０】本実施の形態に係る電子マネーの出金指示情報を入力する画面の例を示す図である。
【図１１】本実施の形態に係る出金結果受信画面の例を示す図である。
【図１２】本実施の形態に係る電子マネーの振込処理フロー図である。
【図１３】本実施の形態に係る電子マネーの振込指示情報を入力する画面の例を示す図である。
【図１４】本実施の形態に係る電子マネーの調達処理フロー図である。
【図１５】本実施の形態に係る電子マネーの自動出金処理フロー図である。
【図１６】本実施の形態に係る電子マネーの自動入金処理フロー図である。
【図１７】本実施の形態に係る電子マネーの端末間電子マネー送付処理フロー図である。
【符号の説明】
【０１２３】
１１０：電子マネーカード、１２０：通信ネットワーク、２００：電子マネーバンクシステム、３００：電子マネーバンク端末、４００：電子マネー発行会社システム、６００：顧客口座テーブル、７００：銀行残高テーブル。
【図１】
2009151692.tif 000003
【図２】
2009151692.tif 000004
【図３】
2009151692.tif 000005
【図４】
2009151692.tif 000006
【図５】
2009151692.tif 000007
【図６】
2009151692.tif 000008
【図７】
2009151692.tif 000009
【図８】
2009151692.tif 000010
【図９】
2009151692.tif 000011
【図１０】
2009151692.tif 000012
【図１１】
2009151692.tif 000013
【図１２】
2009151692.tif 000014
【図１３】
2009151692.tif 000015
【図１４】
2009151692.tif 000016
【図１５】
2009151692.tif 000017
【図１６】
2009151692.tif 000018
【図１７】
2009151692.tif 000019